Podtech/llm-jp-corpus-v4-ja_patent huggingface dataset:
(57)【要約】 【課題】            手で持つ電動ドリル、螺子回し等を使用する際に開けた穴が斜めになってしまったり、螺子が斜めに刺さってしまったりする事がある。そのような作業においてそのような失敗を少なくするために穴を真直ぐに開けたり、螺子を真直ぐに刺したりする事ができるように補助するものであり、又、そのような作業をしやすくするものである。【解決手段】  手で持つ電動ドリル、螺子回し等に補助する器具を取り付ける事、そのような装置があらかじめ手で持つ電動ドリル、螺子回し等に付いているものを使用する事により、穴を真直ぐに開けたり、螺子を真直ぐに刺したりする事ができるようにする。【選択図】図１
2007210047.tif 000002
【特許請求の範囲】
【請求項１】
あてがう部分や挟む部分を回転させる事ができる電動ドリル、螺子回しの補助器。
【請求項２】
あてがう部分や挟む部分を回転させる事ができる電動ドリル、螺子回しの補助器が付いている電動ドリル、螺子回し。
【請求項３】
連結させて長くしたり、それをはずして短くしたりする事ができる請求項1記載の電動ドリル、螺子回しの補助器。
【請求項４】
連結させて長くしたり、それをはずして短くしたりする事ができる請求項1記載の電動ドリル、螺子回しの補助器が付いている電動ドリル、螺子回し。
【請求項５】
目盛のついた請求項1記載の電動ドリル、螺子回しの補助器。
【請求項６】
目盛のついた請求項1記載の電動ドリル、螺子回しの補助器が付いている電動ドリル、螺子回し。
【発明の詳細な説明】
【技術分野】
【０００１】
本発明は、特願２００５−２４３３９６及び特願２００６−０１３８６９の手で持つ電動ドリル、螺子回し等に取り付ける補助する器具を取り付けた電動ドリル、螺子回し等、あらかじめそのような装置が付いている手で持つ電動ドリル、螺子回し等で板等に穴を開けたり、螺子を刺したりする際にそれらのあてがう部分や挟む部分を回転させる事ができるようにする事により作業をしやすくするものである。
【背景技術】
【０００２】
日曜大工、DIY、その他の木材等に穴を開けたり、螺子をさしたり等をする作業をする際に電動ドリル、螺子回し等を使用する際に開けた穴が斜めになってしまったり、螺子が斜めに刺さってしまったりする事が多いものであった。
【発明の開示】
【発明が解決しようとする課題】
【０００３】
日曜大工、DIY、その他の木材等に穴を開けたり、螺子をさしたり等をする作業をする際の板等細いところに穴を開けたりする際に電動ドリル、螺子回し等を使用する際に開けた穴が斜めになってしまったり、螺子が斜めに刺さってしまったりしないようにする。
【課題を解決するための手段】
【０００４】
電動ドリル、螺子回し等に補助する器具を取り付ける事、あらかじめそのような装置が電動ドリル、螺子回し等に付いている物を使用する事により、穴を真直ぐに開けたり、螺子を真直ぐに刺したりする事ができるようにする。
【発明の効果】
【０００５】
日曜大工、DIY、その他の木材等に穴を開けたり、螺子をさしたり等をする作業をする際に電動ドリル、螺子回し等に補助する器具を取り付ける事、あらかじめそのような装置が電動ドリル、螺子回し等に付いている物を使用する事により、穴を真直ぐに開けたり、螺子を真直ぐに刺したりする事ができるようするものである。
【発明を実施するための最良の形態】
【０００６】
本発明は、特願２００５−２４３３９６及び特願２００６−０１３８６９の手で持つ電動ドリル、螺子回し等に取り付ける補助する器具を取り付けた電動ドリル、螺子回し等、あらかじめそのような装置が付いている手で持つ電動ドリル、螺子回し等で板等に穴を開けたり、螺子を刺したりする際にそれらのあてがう部分や挟む部分を回転させる事ができるようにする事により作業をしやすくするものである。
【０００７】
輪（図１−４、図２−４）若しくは、あてがう部分（特願２００５−２４３３９６の図１−１、図２−１及び図3の筒の先）に輪（図２−５）のついたあてがう部分（図２−１，５、６）若しくは挟んで固定する部分の輪（図１−５）をはめ込めるようにして（図２−４、図１−４）あてがう部分や挟む部分を回転させる事ができるようにしたり、その輪（図１−５、図２−５）を中で回転させる事ができるようにした輪（図１−４、図２−４若しくは、はめ込めるようにされた特願２００５−２４３３９６の図１−１、図２−１及び図3の筒の先）の部分、若しくはその棒（図１−３、図２−３（特願２００６−０１３８６９の図１−４の棒、特願２００５−２４３３９６の図１−２、図２−２のようにはめ込まれる））が電動ドリル、螺子回し等に固定される部分（特願２００６−０１３８６９の図１−１）若しくは（特願２００５−２４３３９６の図１−５、図２のバネが入っている筒の部分）にちじんでいくようにするものである。
又、棒や板（図１−１、３、図２−１、３）等に目盛をつけておけば、穴を開ける深さを確認できる。
又、深い穴をあける際に棒等、はめ込む部分等を連結させて長くしたり短くしたりできるようにすると便利である。
【図面の簡単な説明】
【０００８】
【図１】ドリル等補助器
【図２】ドリル等補助器
【符号の説明】
【０００９】
１  棒、板等
２  挟んで固定するネジ
３  棒
４  ５の輪をはめ込む部分
５  ４にはめ込む輪の部分
６  あてがう部分
【図１】
2007210047.tif 000003
【図２】
2007210047.tif 000004
(57)【要約】【課題】    利用、訪問したい場所の年間を通じての気温、天候のおおまかな目安を表現し、中、長期での行動の指標とできるカレンダーを提供する。【解決手段】  地域、場所を限定した（１）過去の気象情報（２）をカレンダー（３）に付加することを特徴とする。【選択図】図１
2007210316.tif 000002
【特許請求の範囲】
【請求項１】
地域、場所を限定した（１）過去の気象情報（２）をカレンダー（３）に付加した地域限定気象確立付カレンダー
【発明の詳細な説明】
【発明の詳細な説明】
【技術分野】
【０００１】この発明は、限定した地域、場所の過去の気象情報をカレンダーの日付、週等の一定期間に付加した地域限定気象確立付カレンダーに関するものである。
【背景技術】
【０００２】従来、気象確率付カレンダーは、地域を限定していなかった。（たとえば、特許文献１参照）。【０００３】
【特許文献１】特開２００１−１７１２６３号公報
【発明が解決しようとする課題】
【０００４】これはつぎのような欠点があった。
従来、カレンダー上に気象確率を表現しようとすると、どうしても特別な表示方法となり、直感的に分かることができなかった。
本発明は、以上のような欠点をなくすために考えたものである。
【課題を解決するための手段】
【０００５】地域、場所を限定した（１）過去の気象情報（２）をカレンダー（３）に付加する。
本発明は以上の構成の気象確率付カレンダーである。
【発明を実施するための最良の形態】
【０００６】以下、本発明の実施の形態について説明する。
テーマパーク、ゴルフ場といった限定した地域、場所（１）の気象のデータ、例えば過去３０年間で雨の降らなかった日数が何日だったかといった内容、その場所の平均気温など（２）を、カレンダー（３）に記載する。
本発明は以上のような構成で、これを使用することにより、利用、訪問したい場所の気象の目安ができる。
【発明の効果】
【０００７】利用、訪問したい場所の気温、天候等の年間を通じてのおおまかな目安とでき、中、長期での行動の指標とできる。
場所、気象情報を必要なものだけに限定することにより、直感的で分かりやすい表現が可能である。
【図面の簡単な説明】
【図１】本発明を具体化したカレンダーの例である。
【符号の説明】
１  限定した地域、場所
２  過去の気象情報
３  カレンダー
【図１】
2007210316.tif 000003
(57)【要約】      （修正有）【課題】縦使用横使用兼用バインダーを提供する。【解決手段】バインダー本体に固定されているとじ具をクリップやボタン等に変える事によって用途により場所を付け替える事ができる様にする。【選択図】図１
2007210320.tif 000002
【特許請求の範囲】
【請求項１】
２重にしたクリップによりバインダーのとじ具が付け替え可能な縦使用、横使用兼用バインダー
【発明の詳細な説明】
【技術分野】
【０００１】  この発明は今まで縦使用、横使用と２種類あったバインダーをとじ具を付け替えることにより１つで２種類の使い方ができるようにしたものである。
【背景技術】
【０００２】  従来のバインダーはとじ具が固定されている物しかなかった。
【発明の開示】
【発明が解決しようとする課題】
【０００３】  縦書きの書類と横書きの書類ではその書類に合わせたバインダーが必要であるがいつどの様な書類が使われるかは解らないので常に２種類用意しておかなければならないのが難点であった。本発明は、この課題を解消するためになされたものである。
【課題を解決するための手段】
【０００４】  バインダー本体に固定されているとじ具をクリップやボタン等に変える事により用途により場所を付け替える事ができる様にした。
【発明の効果】
【０００５】  とじ具をクリップやボタン等に変える事により用途により場所を付け替える事ができる様にした事で今まで２つ用意していた物が１つで済む。
【実施例】
【０００６】  バインダー本体に固定されているとじ具をクリップやボタン等に変える事により用途により場所を付け替える事ができる様にした。
【図面の簡単な説明】
【０００７】
【図１】  本発明の使用例である。
【図２】  本発明の断面図である。
【符号の説明】
【０００８】  １  バインダー本体
２  とじ具（断面図）
【図１】
2007210320.tif 000003
【図２】
2007210320.tif 000004
(57)【要約】【課題】暗所における給油タンクの給油時に油量計の視認を容易にするとともに、照明のための手を開放することを可能とする。【解決手段】給油タンクに吸着するマグネット。給油タンクに取り付けられた油量計の上方または下方より油量計を明瞭に照射することができる高輝度発光ダイオード。高輝度発光ダイオードの発する光を油量計に集中させ、視認のための眩しさを抑える集光ガイド。電池電圧を昇圧または降圧し、電流を適正に高輝度発光ダイオードに供給するための回路。給油タンクへの着脱を容易にするハンドル。前記手段を持って解決した。【選択図】図１
2007210621.tif 000002
【特許請求の範囲】
【請求項１】
給油タンクに吸着するマグネット、給油タンクに取り付けられた油量計の視認性を改善するとともに眩しさを防ぐことができる集光ガイド、油量計のみを効率的に照射することができる発光部、電池電圧を昇圧または降圧し、電流を適正に高輝度発光ダイオードに供給するための回路、給油タンクへの着脱を容易にするハンドル、これらの機能を有する照明装置。
【発明の詳細な説明】
【技術分野】
【０００１】
本発明は、暗所における給油タンクの油量計に表示される液量を視認するための照明に関するものである。
【背景技術】
【０００２】
給油時、給油タンク本体に設置し、照明を行う器具は存在しなかった。
【発明の開示】
【発明が解決しようとする課題】
【０００３】
夜間、石油暖房器具の給油タンクに給油する場合、これまでは手に持った懐中電灯で油量計を照らしながら操作するか、油量計の確認が出来る屋外照明下で行わなければならなかった。屋外照明がある場所でも光量は十分といえず、しばしば油量計の目測を誤り灯油を溢れさせることがあった。本装置は、暗所における給油タンクの給油時に油量計の視認を容易にするとともに、照明のための手を開放することである。
【課題を解決するための手段】
【０００４】
給油タンクに吸着するマグネット、給油タンクに取り付けられた油量計の上方または下方より油量計を明瞭に照射することができる高輝度発光ダイオード、高輝度発光ダイオードの発する光を油量計に集中させ視認のための眩しさを抑える集光ガイド、電池電圧を昇圧または降圧し電流を適正に高輝度発光ダイオードに供給するための回路、給油タンクへの着脱を容易にするハンドル、前記手段を持って解決した。
【発明の効果】
【０００５】
本装置に取り付けられたマグネットにより給油タンクの任意の位置への装着が可能である。
高輝度発光ダイオードの光の指向性と光量および集光ガイドにより、照射する範囲を油量計周辺に集中させることができる。また、高輝度発光ダイオードの直接光が目に入らないため明瞭に油量計を読み取ることが可能である。従来、屋外の照明下での給油時は上部からの照明による影ができ、油量計を見るために給油タンクの位置を調整しなければならなかったが、本装置は直接給油タンクに直接装着できるため、給油タンクの設置方向に関わらず明瞭に油量計を読み取ることができる。
高輝度発光ダイオードを利用することで電球による同一光量の照明に比べ消費電力は低減するので、全体の小型化が可能である。また、昇圧または降圧回路を有しているので電池電圧が変動しても一定光量での照射が可能である。
【発明を実施するための最良の形態】
【０００６】
以下に本発明の一実施例を図面と共に説明する。図１に本装置の平面図、図２に側面図を示す。本装置は、プラスチック等で成型された本体 8、ボタン電池6、ボタン電池6の交換のためのボタン電池収納蓋 5、本装置を手で持つためのハンドル 3 、電源投入切断のためのスライドスイッチ
4 、光源となる高輝度発光ダイオード 1、高輝度発光ダイオード 1から発する光を制限し集光するための集光ガイド 2、および、図7または図8の本体 8の内部に組み込まれる電子回路から構成される。
本装置は図２のマグネット 7により図５の給油タンク9の設置位置A
11 、または、設置位置B 12の位置に図１のハンドル3を持ちながら吸着させる。図１の高輝度発光ダイオード 1から照射される光により、図５の給油タンク9 に付属する油量計
10を照明する。
高輝度発光ダイオード 1の発する光量は、設置位置A 11 、または、設置位置B
12から油量計 10の最も遠い目盛までの照明に十分な明るさとなる。
また、図３で示す高輝度発光ダイオード1の光の放射角13は60度程度であり、油量計
10周辺を照明する適度な広がりを持つとともに前方に対し最大光量を出力する。
本装置を図６の設置位置B 12に設置した場合には図４の集光ガイド2により高輝度発光ダイオード1より発する光は下方と前方に制限されるため、目視するときの眩しさを回避するとともに油量計
10を直線的に照明するために機能する。
本装置は、図７または図８の回路を有する。
図７の電子回路の動作説明を行う。BA1は図１のボタン電池6、図７のSW1は図１のスライドスイッチ
4、図７のLED1は図１の高輝度発光ダイオード 1 を表す。
SW1を導通状態にすることにより、BA1から昇圧回路に電力が供給される。昇圧回路はチャージポンプ回路等を用い高輝度発光ダイオードを駆動するための電圧を昇圧する。その後、電流制限回路を通しLED1に適正な電力が供給される。
ボタン電池単体の電圧は、通常、高輝度発光ダイオードの定格順方向電圧より低く、ボタン電池１個の場合、十分な光度を得ることが困難になる。そのため、本装置では内部回路によりBA1の電圧を昇圧している。昇圧回路により、BA1の電圧が3分の2程度に下がった場合でもLED1を駆動することができる。電流制限回路は、高輝度発光ダイオードの駆動電流を一定にし、高輝度発光ダイオードの長期間使用時における性能劣化を防ぐとともに安定した光量を得るために機能する。
図８の電子回路の動作説明を行う。図８は複数のボタン電池を直列にしたときの回路である。BA2が高輝度発光ダイオード1の順方向電圧よりも高い電圧で使用する場合には、チャージポンプ回路等を用いた降圧回路により高輝度発光ダイオード1に供給する電圧を降下させて使用する。電流制限回路は、高輝度発光ダイオードの駆動電流を一定にし、高輝度発光ダイオードの長期間使用時における性能劣化を防ぐとともに安定した光量を得るために機能する。
【図面の簡単な説明】
【０００７】
【図１】本装置平面図
【図２】本装置側面図
【図３】高輝度発光ダイオードの指向特性図
【図４】集光ガイド部説明図
【図５】設置位置説明正面図
【図６】設置位置説明上面図
【図７】昇圧方式回路ブロック図
【図８】降圧方式回路ブロック図
【符号の説明】
【０００８】
１  高輝度発光ダイオード
２  集光ガイド
３  ハンドル
４  スライドスイッチ
５  ボタン電池収納蓋
６  ボタン電池
７  マグネット
８  本体
９  給油タンク
１０  油量計
１１  設置位置A
１２  設置位置B
１３  放射角
【図１】
2007210621.tif 000003
【図２】
2007210621.tif 000004
【図３】
2007210621.tif 000005
【図４】
2007210621.tif 000006
【図５】
2007210621.tif 000007
【図６】
2007210621.tif 000008
【図７】
2007210621.tif 000009
【図８】
2007210621.tif 000010
(57)【要約】【課題】パドルコンベアの混合、粉砕能力を高める。【解決手段】パドルコンベアに於いて、通常、羽根はコンベアの送り方向の螺旋上に平行ないしその近辺の角度で取り付けられているが、戻し方向の螺旋上に当該の羽根を取り付けた。送り羽根１０が９０度回転し混合・粉砕しながら搬送するが、次に搬送に関わる羽根は羽根１１であり、２７０度遅れる。このように次の搬送のための羽根は２７０度ずつ遅れる。しかし、その間、他の羽根は混合・粉砕を行っており、搬送しながら混合・粉砕能力が従来のものに比して高まった。【選択図】図２
2007210700.tif 000002
【特許請求の範囲】
【請求項１】
スクリューコンベアの所々を切り欠いた形状のパドルコンベアに於いて、本来の送り方向への螺旋とは逆向きの螺旋上に、螺旋の送り方向に平行に羽根を取り付けたことを特徴とするハドルコンベア。
【発明の詳細な説明】
【技術分野】
【０００１】
本発明は、パドルコンベアの混合、粉砕能力をより高めるものである。
【背景技術】
【０００２】
パドルコンベアは流体以外の搬送時に併せて搬送物の混合、粉砕を行うことが特徴となっているが、混合、粉砕能力を高めようとして、コンベアの回転速度をあげると、搬送能力は高まるが、期待した混合、粉砕能力は高まらず、羽根の形状などに変化をつけたりして対応していたが、十分な効果が得られていなかった。
【特許文献１】なし。
【発明の開示】
【発明が解決しようとする課題】
【０００３】
パドルコンベアの混合、粉砕能力を高めるものである。
【課題を解決するための手段】
【０００４】
部品点数などを変えずに、羽根の取り付け方を特長とする。
【発明の効果】
【０００５】
従来型のパドルコンベアの回転速度では搬送能力は半減するが、搬送物の混合、粉砕能力は飛躍的に高まった。搬送能力を従来どおりにするにはコンベアの回転数を倍増すればよい。もちろん、混合、破砕能力は維持される。
【発明を実施するための最良の形態】
【０００６】
本発明は、パドルコンベアの羽根の取り付け方を搬送物の送り方向とは逆の戻し方向の螺旋上に、送り方向の羽根を取り付けることを特徴とする。
閉空間内に設置すれば、さらに混合、粉砕能力は高まる。
【実施例１】
【０００７】
本発明の理解を容易にするために図１を用いて一回転四枚羽根の場合について従来型のパドルコンベアでの動作を説明する。
搬送方向７に向かうような螺旋２の上に羽根３，４，５，６が９０度の位相差で取り付けられており、例えば羽根３が９０度回転すると、螺旋角度に対し羽根の長さの余弦長だけ混合・攪拌しながら搬送される。次々と羽根４，５，６が９０度回転し、同様に混合・攪拌しながら搬送する。
本発明の特徴は図２の搬送方向１４と逆のピッチで羽根１０，１１，１２，１３を取り付けることを特徴とする。羽根１０が９０度回転することにより、搬送物は螺旋角度に対し羽根の余弦長さだけ混合・攪拌されながら搬送されるが、次に搬送に関わる羽根１１は２７０度回転しないと前の搬送位置まで来ず、その間も他の羽根は混合・粉砕を行っている。次の羽根１２も２７０度回転しないと搬送位置に来ず、他の羽根も同様である。
意図的に次の搬送用の羽根を遅らせることにより混合・粉砕能力は高まった。
【産業上の利用可能性】
【０００８】
紙パルプ、穀類など、流体以外の物質の搬送システムに応用すれば、搬送と同時に効率良く混合、粉砕が出来る。
【図面の簡単な説明】
【０００９】
【図１】一回転を四枚の羽根で構成される通常型のパドルコンベアを平面に展開したものである。
【図２】一回転を四枚の羽根で構成される本特許のパドルコンベアを平面上に展開したものである。
【符号の説明】
【００１０】
１    パドルコンベアの主軸
２    螺旋中心線
３    羽根１
４    羽根２
５    羽根３
６    羽根４
７    搬送方向
８    パドルコンベアの主軸
９    螺旋中心線
１０  羽根１
１１  羽根２
１２  羽根３
１３  羽根４
１４  搬送方向
【図１】
2007210700.tif 000003
【図２】
2007210700.tif 000004
(57)【要約】【課題】    切花を輸送する場合水分を吸収しすぎることなく、且長時間に渡り鮮度を保つことが出来、しかも廉価な輸送方法と手段を提供すること。【解決手段】  自重の数十倍の水を吸収し保水する植物性のデンプン粉と該粉に顆粒状の炭素セラミックを混合し、これに水を吸収せしめて保水剤としたものを袋に入れて、この袋の中に切花束を挿入し搬送する。【選択図】図１
2007210672.tif 000002
【特許請求の範囲】
【請求項１】
植物性デンプンを放射線を用いて橋かけ現象を生じせしめ高分子結合させた物質を粉状化し、該粉状化物質に顆粒状の炭素セラミックを混合し、該混合物に多量の水を吸着せしめゲル状となし、該ゲル状の物質を適宜袋状の包装シートに入れ、この中に切花の切断部分を挿入して内部のゲル状の物質が流失しないように結束して搬送出来るように構成したことを特徴とする切花の輸送方法。
【発明の詳細な説明】
【技術分野】
【０００１】  本発明は切花の輸送に関するものであり、切花を輸送する場合長時間鮮度を保つように出来る輸送方法を提供しようとするものである。
【背景技術】
【０００２】  従来は切花を輸送する場合、スポンジ状の資材に水を含ませたものを切断口に当てたり、水の入った容器に切花を浸したりして輸送していた。
【発明の開示】
【発明が解決しようとする課題】
【０００３】  しかし従来の輸送方法においては例えば切花をそのまま水分なしで輸送すれば短時間で切花の鮮度が低下し、特に夏場はすぐ萎れた。又スポンジ状の物質に水を含ませたものを切花の切断口に当てて搬送する場合多少の時間は鮮度が保たれるが、すぐ蒸発により水分が無くなり必要とする期間花の鮮度を保つことが出来ない。又水の入った容器に浸けて輸送する場合、物理的性質上容器の水が流出しないようにする為には切花を立てて搬送しなければならないため輸送の体積が大きくなり費用が嵩んだ。又水に浸したままでは花によっては水を常時多量に吸収しているため、商品として店頭に並べて販売する時、水上げが出来にくいという欠点があった。【０００４】  本発明においては上記の点に鑑みて成したものであり長期に渡り水分を少しずつ切花に与えて鮮度を保ちつつ、且輸送費用も低額で実施出来るような輸送方法と手段を提供しようとするものである。
【課題を解決するための手段】
【０００５】  この課題を解決するための請求項１の発明は、切花に徐々に水分を与え、且この水分を保持する物質が腐敗せず、また切花の輸送時切花を横に寝かせて横積みした場合も、水分を与えている部分より保水剤が流失しないような輸送方法とその装置を提供しようとするものである。【０００６】  本発明においては植物性デンプン粉を高分子結合化させた物質が、自重の数１０倍から数百倍の水を吸収するという性質を用いて、該物質に水を吸収させゲル状としこれを保水剤として用いようとするものであり、ゲル状の保水剤を適宜袋に入れてこの中に切花の茎の切口を差し込む。保水剤はゲル状のため水分は茎に徐々に吸収されていき長期間水分の保給が出来る。又水分がゲル状物質に保持されているため、保水剤より水分の蒸発が少く保水剤の水分自体が長持ちする。一方ゲル状物質の中に炭素セラミックの顆粒を混合する。該炭素セラミックは遠赤外線を放出し、これによる抗菌効果によってゲル状物質中の細菌の増殖を防止することが出来る。又切花の茎の切口を包含する保水剤はゲル状のため切花を横に寝かせて置いても流出しない。
【発明の効果】
【０００７】  本発明による方法と手段によって切花を輸送する場合、長時間に渡り切花に水分を保給することが出来る。又保水剤の入った袋を複数本切花を束にした切口の束端に包含せしめた場合、保水剤がゲル状の為この切花束を横に寝かせて置いた時、結束部より水分が漏れることが無い。又炭素セラミックの顆粒を混合することによって、該炭素セラミックの遠赤外線放射による抗菌効果によりゲル状保水剤が腐敗することもなく、長時間の切花の保水効果と、切花を輸送時横置き出来ることによって輸送体積を減少せしめることが出来るため、輸送費を軽減することが出来ると共に、切花の縦方式での輸送中の容器からの水漏れによる弊害を防止することが出来る。
【発明を実施するための形態】
【０００８】  図１は本発明の方法による切花の保水剤の構成と使用方法を示す一部断面による説明図であり、図中１は切花の束、２は保水剤を入る袋、３は植物性デンプンを主原料とする物質に水を吸収させたもの、４は顆粒状の炭素セラミックである。又図２は保水剤に切花束を組合せた一例であり、５はゴム輪，結束糸，細い軟質の金属線等の結束具を示す。
【０００９】  図１に示すごとく本発明の方法は袋２の中に炭素セラミクの顆粒４を混合した保水剤３を入れ、該保水剤３の入った袋に切花の大きさによって適宜決めた本数の切花の束１を挿入し、結束具５によって結束する。このように構成し組合せた切花束を別の箱に数束〜数１０束入れて完封する。箱には花が呼吸する穴か、隙間を少し設けておく。以上が本発明による切花の輸送方法と手段である。
【産業上の利用可能性】
【００１０】  本発明による切花の輸送方法と手段は用いる材料が全て自然に回帰する環境にやさしいものであり、且費用も廉価で出来、所望する目的を確実に実行することが出来るため、産業上の利用可能性を有する。
【図面の簡単な説明】
【００１１】
【図１】本発明の方法と手段を示す一部断面による説明図である。
【図２】本発明によって輸送される状態を示す切花束の状態を示す説明図である。
【符号の説明】
【００１２】１．‥‥‥切花２．‥‥‥袋３．‥‥‥保水剤４．‥‥‥炭素セラミック５．‥‥‥結束具
【図１】
2007210672.tif 000003
【図２】
2007210672.tif 000004
(57)【要約】【課題】  スーパー等で使用されている買物篭に電卓型計算機と料金収納ケースを備え付けて、支払金額を事前に準備する。【解決手段】  料金収納ケースは、紙幣挟み具．１３とコイン用ケース．１４に区分されているコイン用ケース．１４は１円〜５００円まで６種類のコインを入れることができるように区分されているので、商品の購入金額を電卓型計算機．１２にて集計された後レジ待ちの時間を活用して、前もって金額を料金収納ケースに準備することによりレジ業務の時間短縮及びそれに伴う人件費の節約ができことを特徴とする。【選択図】図２
2007210673.tif 000002
【特許請求の範囲】
【請求項１】
電卓型計算機と料金収納ケースを併せ持っている買物篭で前記計算機及び料金収納ケースともに脱着自在に適宜な固定手段で買物篭の周縁部一カ所に固定されている。
【請求項２】
前記料金収納ケースの蓋の内面を活用した紙幣挟み具とコイン用ケースに区分されていることを特徴とする請求項１記載の買物篭である。
【請求項３】
前記コイン用ケースは金種別１円〜５００円の６種に壁により区分され収納できることを特徴とし、尚コインを取り出しやすく手前から奥に向かって４５°の勾配を付けた請求項２記載の買物篭である。
【発明の詳細な説明】
【技術分野】
【０００１】  本発明は、国内スーパーマーケット・百貨店等で一般的に備付けられているプラスチック等の買物篭に関する。
【背景技術】
【０００２】  従来備え付けられている買物篭は大きさの大・小はあるが本来の目的である、お客が買物商品を収納する単一の目的を達成している買物篭である。【０００３】  計算機能を併せ持っている買物篭は、考案されているが、その篭をスーパー等で使用しても、レジでの混雑が解消されることはない。
【発明の開示】
【発明が解決しようとする課題】
【０００４】  従来技術に係わる買物篭では購入商品の料金計算ができ予算オーバーの防止には役立ち、お客の便利性はあるがお店が一番求めているのは、購入金額が決まった後いかに早く支払うお金を準備してもらえるかである。【０００５】  本発明は、このような点に鑑みて成されたものであり、その目的は買物篭に電卓型計算機と料金収納ケースを備え付けて、支払金額を前もって準備するところにある。
【課題を解決するための手段】
【０００６】  上記目的を達成する本発明の買物篭には、篭の周縁部一箇所に電卓型計算機と金種ごと種分が可能な紙幣挟み具及びコイン用ケースを簡単に取り外すことができないよう固定された料金収納ケースを併せ持っている便利性を特徴とする。
【発明の効果】
【０００７】  お客が購入品を買物篭に収納の都度、あるいはレジでの待ち時間に支払いに必要な料金を紙幣挟み具及びコイン用ケースに用意することにより、お店が一番求めているレジの計算処理のスピードアップ及びそれに伴う人件費の節約に極めて有効である。
【発明を実施するための最良の形態】
【０００８】  以下本発明の実施形態を図面に基づき詳細に説明する。【０００９】  図において本電卓計算機・料金収納ケース付買物篭・１１は．電卓計算機・１２紙幣挟み具・１３．コイン用ケース・１４．を備えたものである。【００１０】  コイン用ケース１４は、１円〜５００円までコイン６種類を入れるように分されている尚コインを取り出しやすく４５°の勾配１８を付けてある。【００１１】  紙幣挟み具は料金収納ケースの蓋内面を活用してあるので紙幣を押さえるホルダー１５．及び蓋の開閉を安定させるストッパー１６．スプリング１７を設けてある。【００１２】  図３の電卓型計算機取り付けブラケット１９にはスライドする電卓型計算機押さえ２０が付いているので、ある程度大きさの異なる電卓型計算機でも取り付け可能である。
【図面の簡単な説明】
【００１３】
【図１】  本発明の第１の実施の形態に係わる外観斜視図である。
【図２】  図１の外観斜視図の買物篭から取り外した状態で料金収納ケースの蓋を開いた斜視図である。
【図３】  買物篭から取り外した状態で料金収納ケースの蓋を閉じ電卓型計算機を取り外した斜視図である。
【符号の説明】
【００１４】  １１    買物篭
１２    電卓型計算機
１３    紙幣挟み具
１４    コイン用ケース
１５    紙幣押さえホルダー
１６    コイン用ケースの蓋を開いたとき安定させるストッパー
１７    コイン用ケースの蓋を閉じたとき安定させるスプリング
１８    コインを取り出しやすくする４５°の勾配
１９    電卓型計算機取り付けブラケット
２０    スライド式電卓型計算機押さえ
【図１】
2007210673.tif 000003
【図２】
2007210673.tif 000004
【図３】
2007210673.tif 000005
(57)【要約】      （修正有）【課題】液体調味料などが入った袋を開封する時に、袋を切らずに中味を取り出すことができる袋の提供。【解決手段】液体調味料７などが入っている袋１の取出し口部分に、あらかじめ内部から破れやすくなるようなヒートシールの部分２を作っておく。開封する時は袋１を軽く押して内部に圧力をかけると、この部分２が破れて中味７は勢い良く外に出る。この中味７の勢いを弱めるために、ヒートシールの部分２の外側にさらに出口を小さくした４別の袋状の部分３や細い迷路状の通路を作っておくと、中味７の勢いを緩めることができる。そして最終の出口部分に筒状の張り出し６を作り、中味７が外へ出る時の方向を安定させ垂れこぼれを少なくする。【選択図】図１
2007210671.tif 000002
【特許請求の範囲】
【請求項１】
袋からの取出し口部分に、内部から破れやすくなるような包装の薄い部分がある袋。
【請求項２】
請求項１において、包装の薄い部分の外側に出口を小さくした別の袋状の部分をつけた袋。
【請求項３】
請求項１において、包装の薄い部分の外側に細い迷路状の通路をつけた袋。
【請求項４】
請求項１、請求項２及び請求項３において、最終の出口部分に筒状の張り出しをつけた袋。
【発明の詳細な説明】
【発明の詳細な説明】
【技術分野】
【０００１】この発明は、液体調味料などが入った袋に関するものである。
【背景技術】
【０００２】従来は、弁当などに付いている液体調味料などが入っている袋を開封する時には、袋の外周上にある切れ目などを起点として外側から破って開封する方法がほとんどだった。
この場合に、袋を破った瞬間に中の液体が飛び散ったりして手を汚す場合や、破りきれずに袋の切れ端が邪魔をして注ぎたい部分に注げない場合があった。また、切れ端を完全に切り離すと液体の付いたゴミが二つ出ていた。
【発明が解決しようとする課題】
【０００３】本発明は、液体調味料などが入っている袋を開封する時に、中味を飛び散らすことなく簡単に開封できるような袋の構造を提供することを目的とする。
【課題を解決するための手段】
【０００４】本発明は、液体調味料などが入っている袋１の開封部分２に、あらかじめ内部から破れやすくなるような包装の薄い部分を作っておく。開封する時は袋を軽く押して内部に圧力をかけると、この包装の薄い部分が破れて中味は勢い良く外に出る。次に、包装の薄い部分の外側にさらに出口を小さくした別の袋状の部分３や細い迷路状の通路５を作っておくと、勢い良く外に出る中味の勢いを弱めることができる。そして最終の出口部分に筒状の張り出し６を作り、中味が外へ出る時の方向を安定させ垂れこぼれを少なくする。袋の出口を以上の様な構造にする。
【発明を実施するための最良の形態】
【０００５】以下、本発明の実施の形態について説明する。
図１及び図２に示すように液体調味料などが入っている袋１の開封部分２に、あらかじめ内部から破れやすくなるような包装の薄い部分を作っておく。包装の薄い部分の形状としては、図３に示すようなＵ字型８や図４に示すようなＶ字型９などがある。
開封する時は袋を軽く押して内部に圧力をかけると、この包装の薄い部分が破れて中味は勢い良く外に出る。ここで、図１に示すように包装の薄い部分の外側にさらに出口を小さくした別の袋状の部分３を作れば、勢い良く出る中味はこの袋状の部分３で流れが蓄えられて、勢いを弱めることができる。また、中味によってはこの部分を図２に示すように細い迷路状の通路５に置き換えて、細い通路の中を通ることによる抵抗を利用し勢いを弱めることもできる。
そして最終の出口部分に筒状の張り出し６を作ると、中味は筒状の張り出しでガイドされて、外へ出る時の方向が一定方向のみとなり安定し垂れこぼれが少なくなる。
なお、本発明は液体調味料だけでなく医薬品やその他の様々な液体製品などを取出す方法として、出口を小さくした別の袋状の部分３や細い迷路状の通路５を変更することにより応用することができる。
【発明の効果】
【０００６】この発明によれば、液体調味料などが入った袋を外から軽く押すだけで、手を汚すことなく簡単に中味を取出すことができるようになる。
【図面の簡単な説明】
【図１】本発明の全体図の一例である。
【図２】本発明の全体図の一例である。
【図３】本発明の開封部分２をＵ字型にした部分拡大図の一例である。
【図４】本発明の開封部分２をＶ字型にした部分拡大図の一例である。
【符号の説明】
１…液体調味料などが入った袋、２…開封部分、３…出口を小さくした別の袋状の部分、４…小さい出口、５…細い迷路状の通路、６…最終の出口部分の筒状の張り出し、７…液体調味料などの中味、８…Ｕ字型の包装の薄い部分、９…Ｖ字型の包装の薄い部分
【図１】
2007210671.tif 000003
【図２】
2007210671.tif 000004
【図３】
2007210671.tif 000005
【図４】
2007210671.tif 000006
(57)【要約】      （修正有）【課題】段ボ−ル箱を容器として利用する場合、蓋を留めないと開いてしまうし、テ−プ等で留めてしまうと物の出し入れに不便なばかりか、そのたびにテ−プが必要になり蓋の紙も損傷する。そこで、何度でも開閉でき、繰り返し利用できるような段ボール箱の留め具を提供する。【解決手段】段ボ−ル箱の蓋の板紙に差し込める二つの「コの字型」をつくり、一方に「スライド溝」４を持ち、「スライド摘み」５でスライドする「閂」３を、もう一方には「閂受け口」１を設けた。「コの字型」の内部に突起２を設けて差し込めば容易にはずれないようにした。段ボ−ル箱の蓋の左右の同じ位置に、この器具をセットし蓋を閉め、閂をスライドさせるとロックされて蓋が開かなくなる。【選択図】図１
2007210674.tif 000002
【特許請求の範囲】
【請求項１】
段ボ−ル箱の蓋板紙利用して蓋を簡単に留めることができる留め具
【発明の詳細な説明】
【発明の詳細な説明】
【発明の属する技術的分野】
【０００１】この発明は、段ボ−ル箱の蓋の板紙に器具を差し込み、段ボ−ル箱の蓋を留めるものである。
【背景技術】
【０００２】従来は、このような留め具はなかった。
【発明が解決しようとする課題】
【０００】段ボ−ル箱を容器として利用することは多いが、蓋を留めないと開いてしまうしテ−プ等で留めてしまうと物の出し入れに不便なばかりか、そのたびにテ−プが必要になり蓋の紙も損傷する。本発明品はこのような課題を解決するために考案された。
【課題を解決するための手段】
【０００５】段ボ−ル箱の蓋の板紙に差し込む二つのコの字型形状に、一方にはスライドする閂をもう一方には受けを設けた。段ボ−ル箱の蓋の左右の同じ位置にこの器具をセットし蓋を閉め、閂をスライドさせるとロックされて蓋が開かなくなる。
【発明を実施するための最良の形態】
【０００６】以下、本発明の実施の形態について説明する。
段ボ−ル箱の蓋の板紙に差し込めるよう二つの「コの字型」をつくり、上部に一方には「スライドする閂」を、もう一方には「閂受け口」を設けた。また「コの字型」の内部に突起を設けて差し込めば容易にはずれないようにした。段ボ−ル箱の蓋の左右の同じ位置にこの器具をセットし蓋を閉め、摘みをスライドさせると閂が「閂受け口」に入りロックされて蓋が開かなくなる。
【発明の効果】
【０００７】段ボ−ル箱を容器として利用する場合、蓋を留めないと開いてしまうし、テ−プ等で留めてしまうと、物の出し入れに不便なばかりか、そのたびにテ−プが必要になり蓋の紙も損傷する。本発明品を使えば何度でも開閉でき、繰り返し利用できようになる。
【図面の簡単な説明】
【図１】本発明品の形態図
【図２】使用図１
【図３】使用図２
【符号の説明】
１閂受け穴
２突起
閂
４スライド溝
５スライド摘み
６段ボ−ルの蓋（左）
７段ボ−ルの蓋（右）
【図１】
2007210674.tif 000003
【図２】
2007210674.tif 000004
【図３】
2007210674.tif 000005
(57)【要約】【課題】本発明は、新しい容器の開けにくいフタや、冷蔵庫に収納して開けにくくなったビンのフタなどを手動によるわずかな力で容易に開けられるようにするフタ開け補助具を提供する。【解決手段】同心円状にセットされた複数枚よりなる締めつけリングと、これを手動で締める２本の取っ手状の締めつけハンドルを設ける。開けようとする容器のフタに締めつけリングを当てると、フタの径よりも小さな内側の締めつけリングがフタに押されるかたちで上部に傾斜して逃げ、次の大きさの締めつけリングと交替する。フタの周りを囲むことができる締めつけリングを選び、締めつけハンドルを把持してフタに圧着させ、回転させてフタを開ける構造となっている。【選択図】図１
2007210668.tif 000002
【特許請求の範囲】
【請求項１】
ビンなど容器のフタの周囲を半周以上に大きく囲む金属板、プラスチック材料などによる「締めつけリング」（図面参照、以下同）と、この締めつけリングを手動でフタに圧着させるために、締めつけリングの両端から延びた２本の取っ手状の「リング締めつけハンドル」を持つフタ開け補助具である。
【請求項２】
複数枚の同心円状にセットされた径の異なる締めつけリングは、外側の固定リングと内側の可動リングからなり、この締めつけリングと、リング締めつけハンドルを連結する「連結部」を持つ請求項１記載のフタ開け補助具である。
【請求項３】
複数枚の締めつけリングから伸びた連結部をヨコに貫いて一体的に止める「ピン状の止め具」を持ち、内側の可動リングを外側の固定リングより下方に移動させないように連結部の中間で底辺を支える「落下防止板」を設けた、請求項１記載のフタ開け補助具である。
【請求項４】
複数枚の同心円状にセットされた径の異なる締めつけリングのうち、開けようとするフタよりも径の小さなリングが、開けようとするフタに押されるかたちで上部に傾斜して逃げ、次の大きさの締めつけリングと交替する構造の連結部を持つ請求項１記載のフタ開け補助具である。
【発明の詳細な説明】
【技術分野】
【０００１】  この発明は、ビンなど容器の開けにくいフタを手動によるわずかな力で容易に開けられるように補助する用具に関するものである。
【背景技術】
【０００２】  従来、これに類した製品には、形や使い方の異なるいろいろなものが市販され、利用されていることは知られている。
【発明の開示】
【発明が解決しようとする課題】
【０００３】  解決しようとする問題点は、新しい容器のフタが女性や高齢者にとって開けにくいものが多いこと。また冷蔵庫などに収納しておいた容器のフタが冷却・収縮などによって開けにくくなること。課題は手動によるわずかな力で容易に開けられる小型、軽量、多機能のフタ開け補助具の開発である。
【課題を解決するための手段】
【０００４】  ビンなど容器のフタを半周以上囲む締めつけリングと、その両端から伸びた取っ手状のリング締めつけハンドルを軽く握って回転させることでフタを開ける。なお、締めつけリングは径の異なる複数本からなり、これを同心円状にセットすることで、径の異なるフタに柔軟に対応できる。
【発明の効果】
【０００５】  新しい容器の開けにくいフタや、冷蔵庫に収納して開けにくくなったビンのフタなどを手動によるわずかな力で容易に開けられる。各種のフタに対応する多機能型であり、冷蔵庫表面などに磁力で設置し、小型・軽量で高齢者にも使いやすい製品となる。
【発明を実施するための最良の形態】
【０００６】  リング締めつけハンドルの端を握ることで軽い力で強くフタを締め付けられる機構と、容器のフタより小さい締めつけリングが軽く上部に逃げて次の径の締めつけリングに仕事を譲る機構を実現した。
【実施例１】
【０００７】  金属板、合成樹脂板などを用いて、複数枚よりなる径の異なる同心円状の「締めつけリング」（１、図面参照、以下同）を設ける。外側の締めつけリングは上下動しない「固定リング」（２）となり、内側の複数枚の締めつけリングは、固定リングに対して上方にスライドできる「可動リング」（３）になる。【０００８】  外側の締めつけリングの両端を曲げてまっすぐ伸ばしたかたちで、２本の取っ手状の「リング締めつけハンドル」（４）を設ける。【０００９】  内側の複数の締めつけリングのそれぞれの両端を曲げてまっすぐ伸ばし、順次、リング締めつけハンドルの内側に密着させ、これらを「ピン状の止め具」（５）で横に貫いたかたちで「連結部」（６）を構成する。【００１０】  連結部の中間の底部に、内側の締めつけリングが下部にスライドすることを防ぐ「落下防止板」（７）を設ける。落下防止板の一方の端は外側の締めつけリングの一方の底部に固定されている。もう一方の落下防止板の端は、もう一方の締めつけリングの外側でカギ状に曲がってリングを押さえており、落下防止板上での締めつけリングの摺動を可能にする。【００１１】  本発明のフタ開け補助具は、これを手で持って、開けようとする容器のフタに「締めつけリング」を当てると、容器のフタの径よりも小さな内側の締めつけリングがフタに押されるかたちで上部に傾斜して逃げ、次の大きさの締めつけリングと交替する。フタの周りを緩く囲むことができる締めつけリングを選んで「リング締めつけハンドル」を握り、締めつけリングをふたに圧着させ、回転させてフタを開ける。この作用を便ならしめる小型化、軽量化、デザイン性に優れた構造とする。
【図面の簡単な説明】
【００１２】
【図１】  本発明の斜視図
【図２】  本発明の正面図
【図３】  本発明の可動状態図
【符号の説明】
【００１３】  １  締めつけリング
２  固定リング
３  可動リング
４  リング締めつけハンドル
５  ピン状の止め具
６  連結部
７  落下防止板
【図１】
2007210668.tif 000003
【図２】
2007210668.tif 000004
【図３】
2007210668.tif 000005
(57)【要約】【課題】常にボトルに付随しキャップをこまめに使用でき一般的な大きさのボトル口径に対応が可能とするもので、片手で簡単に開閉がしやすくするためにキャップ粘着ヘッド側は回転できる、突起部分は出来る限り低く帯と一体的に見え、粘着面は繰り返し使え簡素な構成を特長とするものである。【解決手段】リングの部分（１）をボトルネックの所までかぶせて使用する構成ではあるが、組み込みやすいように帯部分にスリット（３）を設けて取付輪部分の強度を増すためにベロ（２）を設ける、キャップを回すとき回しやすいように表部ヘッド（５）の箇所へ回転軸（６）を設け連結帯と切り離すことでキャップの回転を滑らかする、キャップへの粘着部分は繰り返し貼付出来る粘着シート（７）を使用。【選択図】図１
2007210670.tif 000002
【特許請求の範囲】
【請求項１】
回転軸（６）により開封後キャップと連結帯（４）が自由に回転できる構造で片手で開閉できる、粘着ヘッドを繰り返し何度でも付け替えが可能にする粘着シート（７）を使用している、着脱をしやすくするためにボトル側の取付帯にスリット（３）を設けている、帯とヘッド部分が一体化に見える様に凸部分をできるだけ低くし（図２）、一般的な材料で構成されたキャップ連結帯。
【発明の詳細な説明】
【発明の詳細な説明】
【技術分野】    ボトルへ着脱しやすいようにボトル側の取付帯にスリットを設けはめこみしやすくする、ヘッド部分に回転軸を設け連結帯とは別にキャップを自由に回せるようにし取付粘着ヘッド部分に繰り返し付け替えを行える材料を使い簡単に行えるように考案。
【背景技術】    別の場所に置くか手に直接持っている事がほとんどで、考案されている物ではヘッド部分が固定されているのでキャップを回すと帯部分が一緒に回り使用しにくい、ヘッド部分が回転をする構成の考案もあるが凸部分が大きく邪魔で丈夫すぎて重くなってしまっている、簡単に繰り返し付け替えが行える物がない。
【発明解決しようとする課題】
一般的な口径であれば、楽に脱着でき片手で簡単に開閉がし易い構成からなる物で邪魔にならなく繰り返し使えて、特別な素材でなく簡素な構成を目的に考案。
【課題を解決するための手段】
リングの部分をかぶせて使用する構成ではあるが、組み込みやすいように帯部分にスリットと取付輪の部分に強度を増すためにベロを設ける、キャップを回すとき回しやすいように表部ヘッドの箇所へ回転軸を設け連結帯と切り離し回転を滑らかする、ヘッド部分へは繰り返し貼付出来る粘着シートを使う。
【発明を実施するための最良の形態】    ボトルネックの所へ、かけ輪の部分を粘着部分を上向きの方向で通しキャップを緩めた頭部に折り返し粘着ヘッド貼り使用する。
【発明の効果】
以下のように改善された
１帯がじまにならず自由にキャップが回転する、
２異形の物でも簡単に取付けられる、
３凸部分が小さいのでじまにならなく重ねる事が可能、
４片手で開閉出来る、
５繰り返し使うことが可能、
【図面の簡単な説明】
【図１】考案上部平面及び回転ヘッド透視図
【図２】考案Ｙ−Ｙ′断面図
【図３】考案使用斜視図
【符号の説明】
１、ボトルネックかけ輪
２、ベロ
３、スリット
４、連結帯
５、表装ヘッド
６、ヘッド回転軸
７、粘着シート
８、ボトルネック
９、キャップ
【図１】
2007210670.tif 000003
【図２】
2007210670.tif 000004
【図３】
2007210670.tif 000005
(57)【要約】【課題】ナタマメの莢のエキスを主成分とする抗炎症組成物及び抗炎症作用を有する健康美容用組成物を提供すること。【解決手段】抗炎症組成物は、ナタマメの生の莢から抽出したエキスを主成分とすることからなる。抗炎症作用を有する健康美容用組成物は、ナタマメの生の莢から抽出したエキスを主成分とすることからなる。前記抗炎症組成物及び抗炎症作用を有する健康美容用組成物がナタマメの生の莢が２０％以上（w/w）水分を含んでいることからなる。【選択図】なし【特許請求の範囲】
【請求項１】
ナタマメの生の莢から抽出したエキスを主成分とすることを特徴とする抗炎症組成物。
【請求項２】
ナタマメの生の莢から抽出したエキスを主成分とする抗炎症作用を有する健康美容用組成物。
【請求項３】
前記ナタマメの生の莢が２０％以上（w/w）水分を含んでいることを特徴とする請求項１記載の抗炎症組成物。
【請求項４】
前記ナタマメの生の莢が２０％以上（w/w）水分を含んでいることを特徴とする請求項２記載の抗炎症作用を有する健康美容用組成物。
【発明の詳細な説明】
【技術分野】
【０００１】
本発明は、ナタマメの生の莢から抽出したエキスを主成分とする抗炎症組成物及び抗炎症作用を有する健康美容用組成物に関する。
【背景技術】
【０００２】
ナタマメの豆に関しては、のどの腫れ、痛み、声がれ、口内炎に効くこと、又便秘、下痢、腹痛の解消に効果があること、排膿消炎作用があること、ウミのたまる病気に用いられること、痔瘻等で煎じ液をふろの中に入れ、浴剤として用いること、等に効果があることが知られている（例えば、特許文献１及び特許文献２参照）。
【０００３】
さらにナタマメのつるや茎を採取して乾燥させたものが湿疹等の皮膚病の改善に有効であること等も知られている（例えば、特許文献１参照）。
【０００４】
【特許文献１】特許第２５３５３１１号公報（［０００２］）
【特許文献２】特許第３２３７０９２号公報（［０００５］）
【発明の開示】
【発明が解決しようとする課題】
【０００５】
しかし、前記文献にはナタマメの莢に関しては何も記載されていない。ナタマメの莢に関しては残渣として捨てられ産業廃棄物となっているのが現状である。
【０００６】
そこで、本発明者らは残渣として捨てられていたナタマメの莢に着目し、ナタマメの莢に関して何か効果があれば残渣として捨てられることもなく産業廃棄物になることもないと考え、鋭意研究した結果ナタマメの莢に抗炎症作用があることを発見した。
【０００７】
通常、植物等を利用する場合、保存等を考慮し、乾燥させてからエキス等を抽出して利用するものであり、このため、ナタマメを利用する場合も乾燥させてから利用するのが通常である。その結果ナタマメの莢に抗炎症作用があることを発見したが、乾燥させると活性作用が落ちてしまうことが分かった。
【０００８】
そこで、さらに鋭意研究の結果生の莢で実験したところ、生の莢は乾燥させた莢よりもより強い抗炎症作用があることを発見した。生の莢は２０％以上（w/w）水分を含んでいることが必要である。２０％未満（w/w）だと乾燥状態になってしまうからである。したがって水分含有量が多ければ多いほど生の状態に近いので多いほど良い。
【０００９】
したがって、本発明の目的は、ナタマメの莢のエキスを主成分とする抗炎症組成物及び抗炎症作用を有する健康美容用組成物を提供することを目的とする。
【課題を解決するための手段】
【００１０】
前記目的を達成するため、本発明の抗炎症組成物及び抗炎症作用を有する健康美容用組成物は、ナタマメの生の莢から抽出したエキスを主成分とすることからなる。
又、ナタマメの生の莢は２０％以上（w/w）水分を含んでいるものでなければならないが、水分含有量が多ければ多いほど生の状態に近いので多いほど良い。
抗炎症組成物の例としては、抗炎症作用を有する医薬部外品、抗炎症作用を有する健康美容用組成物としては、化粧品、健康食品等がある。
【発明の効果】
【００１１】
ナタマメの生の莢から抽出したエキスにより抗炎症組成物、抗炎症作用を有する健康美容用組成物等を提供することが出来る。
【実施例】
【００１２】
下記に本発明の実験例を示す。
［実験例１］
マウス皮膚における強力な発癌プロモーターである12-O-tetradecanoylphorbol-13-acetate (TPA)が誘発する炎症に対する効果を検討し、抑制効果についてマウス皮膚二段階発癌実験を行った。今回，本発癌系に対して、ナタマメの莢についてその有効性を検討した。
【００１３】
実験方法はT. Kaminagaらの方法を用いた（T. Kaminaga, K. Yasukawa, M. Takido, T. Tai, Y. Nunoura,Phytother. Res. 10, 581-584(1996)）。実験動物各7週齢のICR雌性マウスをJapan SLCから購入し、室温23±5 °C、湿度50±5%のSPF飼育室で8時より20時まで照明を付けて飼育した。
マウスの右内・外耳殻にTPA  1μgを20μ1のacetone溶液として塗布し，最高腫脹時である塗布6時間後の耳殻腫脹を測定し、対照群との比より算出した。検体は、CHCl3-MeOH-H2O (1:2:1〕混液20μ1に溶解しTPA塗布の30分前に同一部位に塗布した。各群4匹を用いて行った。
【００１４】
薬物及びTPAの塗布には、エッペソドルフピペット4710クリスタルを用いた。
ナタマメの乾燥させた莢，生の莢の50%EtOH抽出エキスは、TPAが誘発する炎症に対して1 mg/earの用量で 29％， 40%の抑制率を示した。又、50%EtOHエキスのEtOAc可溶部について同様の実験を行ったところ、0.5 mg/earの用量で、それぞれ同様に 31％， 72%の抑制率を示した。生の莢は乾燥させた莢よりもかなり強い抑制効果が見られた。抗炎症薬であるインドメタシン及びヒドロコーチゾンのID50は、それぞれ325，25.2 μgであり、これらはインドメタシンと同程度の効果を有すると考えられる。
【００１５】
下記に本発明の生の莢の抽出エキスの抽出例を示す。
【００１６】
［抽出例１］
ナタマメの生の莢を適当な大きさに刻み、８０％エタノールにつけ、８０℃で２０分間加熱する。加熱後、ろ過し抽出エキスを減圧で乾燥した。抽出エキスはスプレードライ末、凍結乾燥末、エキスそのもの等を使用する。
【００１７】
下記にローション、乳液、健康食品（通常行われているように、カプセル状、パウダー状、錠剤、顆粒、液状等の形態があるが、ここでは代表例として、カプセル状、パウダー状を例に示す。）の混合例、配合例を示す。
【００１８】
2007210935.tif 000002
【００１９】
2007210935.tif 000003
【００２０】
［例３］
ソフトカプセルの健康食品の混合例
小麦胚芽油  ５０％（w/w）
ミツロウ      ７％
抽出例１のエキス１０％
豚由来ジェラチン  ２２％
グリセリン  ７％
小麦末      ４％
【００２１】
［例４］
パウダー状の健康食品の配合例
明日葉パウダー  ５０％（w/w）
大麦若葉バウダー４０％
抽出例１のパウダー１０％